(57)【要約】【課題】複数のリフィールを有する複式筆記具において、構成が簡単で本体を小さくでき、経済的に得られる複式筆記具を提供する。【解決手段】リフィール２の後端にスライド駒２２を連結する。該スライド駒には係止板３０があり、この径止板３０は該スライド駒が前後動する際、本体内に設けた中板４に沿って移動する。この中板にはスライド駒掛止板４１が弾性的に当接している。該スライド駒掛止板４１の後端には傾斜面４３が形成され、前端には起立面４２が形成されている。上記係止板３０には該スライド駒掛止板４１の前端の起立面４２に係合する起立面３２と後端に形成した傾斜面４３に係合する傾斜面３１が設けられている。【選択図】図９
2009178871.tif 000002
【特許請求の範囲】
【請求項１】
複数のリフィールを本体内に収納した筆記具において、該リフィールを前後動させるスライド駒を該リフィールの後端に連結し、該スライド駒に係止板を形成し、該スライド駒を前後動させる際上記係止板が摺動するよう上記本体内に中板を設け、該中板に弾性的に当接するようスライド駒掛止板を形成し、上記スライド駒を前進させるとき該スライド駒掛止板と上記中板間へ上記係止板を導入して該スライド駒掛止板を上記中板から離れる方向に移動させるよう上記スライド駒掛止板の後端に傾斜面を形成すると共に該スライド駒掛止板の前端に移動した該係止板が係合するよう該スライド駒掛止板の前端に起立面を設けたことを特徴とする複式筆記具。
【請求項２】
上記スライド駒掛止板を上記中板に当接する方向に付勢するよう弾性板を設け、該弾性板の先端にスライド駒掛止板を形成したことを特徴とする請求項１に記載の複式筆記具。
【請求項３】
上記本体には該スライド駒掛止板の前端に係合した係止板とスライド駒掛止板の係合を外すよう上記スライド駒掛止板を上記中板から離れる方向に移動させる解除部材が設けられている請求項１または２に記載の複式筆記具。
【請求項４】
上記本体はクリップを有し、上記解除部材は上記スライド駒掛止板に突設した解除用突起と該解除用突起に対向してクリップの裏面に設けたリブを含む請求項３に記載の複式筆記具。
【請求項５】
上記係止板は上記スライド駒掛止板の後端に形成した傾斜面に係合する傾斜面を前端に有し、上記スライド駒掛止板の起立面に係合する起立面を後端に有する請求項１から４のいずれかに記載の複式筆記具。
【発明の詳細な説明】
【技術分野】
【０００１】
本発明は、複数のリフィールを本体内に収納した複式筆記具に関し、特に構成が簡単な複式筆記具に関するものである。
【背景技術】
【０００２】
多色ボールペン等複数のリフィールを本体内に収納し、スライド操作で所望のリフィールを本体の先端から選択的に突出させて筆記できるようにした筆記具は、リフィールの後端に設けた押子を本体（軸筒）内に形成した掛止段部に掛止してリフィールを筆記位置に保持し、不使用時に該押子を押ボタンで押圧して上記掛止段部から外しリフィールの先端を本体内に収納するように構成されている（例えば、特許文献１参照）。また、クリップを操作したとき上記掛止段部からノック操作部材を外すように構成したものも知られている（例えば特許文献２参照）。しかし、いずれも筆記具も、本体内に一体的に設けた掛止段部に押子等を係合させ、該押子を押して掛止段部から状態で押子を外す構造であるから、押子を本体の軸径方向に移動させるための空間が必要であり、そのため本体（軸筒）が太くなり、部材点数が多く、構成も複雑である。
【特許文献１】特許第３１６８２００号公報（請求項１、図１）
【特許文献２】特開平１０−２６４５８６号公報（請求項１、図３〜図５）
【発明の開示】
【発明が解決しようとする課題】
【０００３】
本発明の解決課題は、複式のリフィールを有する複式筆記具において、構造が簡単で本体を小さく形成でき、経済的に得られる複式筆記具を提供することである。
【課題を解決するための手段】
【０００４】
本発明によれば、複数のリフィールを本体内に収納した筆記具において、該リフィールを前後動させるスライド駒を該リフィールの後端に連結し、該スライド駒に係止板を形成し、該スライド駒を前後動させる際上記係止板が摺動するよう上記本体内に中板を設け、該中板に弾性的に当接するようスライド駒掛止板を形成し、上記スライド駒を前進させるとき該スライド駒掛止板と上記中板間へ上記係止板を導入して該スライド駒掛止板を上記中板から離れる方向に移動させるよう上記スライド駒掛止板の後端に傾斜面を形成すると共に該スライド駒掛止板の前端に移動した該係止板が係合するよう該スライド駒掛止板の前端に起立面を設けたことを特徴とする複式筆記具が提供され、上記課題が解決される。
【発明の効果】
【０００５】
本発明は上記のように構成され、リフィールの後端に該リフィールを前後動させるスライド駒を連結し、該スライド駒に係止板を形成し、該スライド駒を前後動させる際上記係止板が摺動するよう上記本体内に中板を設け、該中板に弾性的に当接するようスライド駒掛止板を形成し、上記スライド駒を前進させるとき該スライド駒掛止板と上記中板間へ上記係止板を導入して該スライド駒掛止板を上記中板から離れる方向に移動させるよう上記スライド駒掛止板の後端に傾斜面を形成すると共に該スライド駒掛止板の前端に移動した該係止板が係合するよう該スライド駒掛止板の前端に起立面を設けたから、使用に際し、所望のリフィールに連結するスライド駒を前進させると、該スライド駒の係止板は中板とスライド駒掛止板の間を潜って前進してスライド駒掛止板の前端の起立面に係合し、該リフィールは筆記位置に保持され筆記することができる。そして、該リフィールの筆記先端を本体内に収納するには、後退位置にある他のリフィールに連絡しているスライド駒を少し前進させると、該スライド駒の係止板が上記スライド駒掛止板と中板の間に進入して該スライド駒掛止板を中板から離れる方向に移動させることができるから、該スライド駒掛止板の前端と上記筆記位置にある係止板の係合が外れ、上記筆記位置にある上記スライド駒は筆記位置から後退し、筆記先端は本体内に収納される。したがって、従来のようにスライド駒を本体の軸径方向に移動させる必要がないので、本体を従来のように太く（厚く）形成する必要がなく、構成も簡単になり、経済的に得ることができる。
【０００６】
また、上記スライド駒掛止板を中板から離れる方向に移動させる解除部材を設けると、スライド駒を移動させずにリフィールを筆記位置から後退させることができる。また、この解除部材としてクリップの裏面にリブを設け、該リブに対向して上記スライド駒掛止板に解除用突起を設ければ、クリップを使用する際、上記リブと解除用突起を介して上記スライド駒掛止板を中板から離れる方向に移動させることができるから、携行時にリフィールの筆記先端でポケット等が汚染されることもない。
【発明を実施するための最良の形態】
【０００７】
図１〜図５は、本発明の筆記具の一実施例を示し、本体１は断面略矩形状に形成され、内部にリフィール２を収納し筆記先端が本体の前端から突出するよう進退可能に設けてある。該本体１の外面には内方に凹んだ格納部３が形成されている。図３、図４に示すように、この実施例では、内部を長手方向に沿ってほぼ二分するよう本体１内を中板４で区画してその一方の空間を格納部３とし、他方の空間に上記リフィール２を収納するようにしてある。該格納部３は、後端部が閉塞され、前端部にテーパー部材５を装着して周囲が縁部６で囲まれた形状に形成してあるが、この格納部の形状、構造は筆記具全体の構造や該格納部に収納されるクリップ７に応じて適宜に形成することができる。なお、該テーパー部材５は、図６に示すように先部８が上記本体１の外面にほぼ沿う形状に形成され、リフィール２を突出させるための孔９を有し、本体内に設けた抜止爪１０に係合する係止爪１１を有する係止片１２を両側に具備している。そして、該係止片１２を本体１の受孔１３に嵌合させた状態で係止爪１１が上記抜止爪１０に係合して本体１に着脱可能に取り付けられ、該係止片１２を内方に押圧することにより係止爪１１が上記抜止爪１０から外れて本体から取り外される。テーパー部材は、本体の形状、構造により上記実施例に替えてその他適宜の構造に形成することができる。
【０００８】
上記格納部３には、クリップ７を揺動可能に保持するための取付部１４が形成されている。図３に示すように該取付部１４は上記格納部３の後部に形成した凹陥部１５に設けられ、外方に枢軸突起１６を有する２つの起立板１７で構成されている。クリップ７は、上記格納部３の後端部から前端部にわたる長さを有し、全体がほぼ格納部内に収納される大きさに設けられ、外面には軟質性を有するグリップ部１８が２色成形等の要領によりクリップ７と一体的に形成されている。なお、クリップベース部とグリップ部を別体に設け、グリップ部として合成樹脂材料、金属材料等で作った装飾プレート、キャラクター等を取り付けることもできる。また、該クリップの後端部側の裏面には上記取付部１４の起立板１７に対応して二つの取付板１９が突設され、該取付板１９には取付孔２０が形成されている。なお、クリップを設けた側面と反対側の上記本体１の側面にも、上述と同じようなグリップ部１８が形成されている。
【０００９】
上記クリップ７は、上記取付板１９が上記本体１の取付部１４の起立板１７の外側に位置するように組み合わせて上記枢軸突起１６に取付孔２０を嵌着することにより該取付部１４に揺動可能に枢着される。クリップ７裏面と中板４の間にはクリップの前端部７ｂが中板４に接する方向にクリップ７を回動付勢するようクリップばね２１を設けてある。クリップ７は、通常の状態では前端部７ｂおよび後端部７ａが格納部３内にあって本体１の外面から外方に突出しないような形状、好ましくはクリップの外面が上記本体の外面とほぼ一連をなす形状になるよう構成されている。また、該後端部７ａの裏面と上記中板４の凹陥部１５間には後端部の移動を許容するスペースが設けられ、クリップの後端部を押圧したときに該クリップが回動できるようにしてある。それにより、上記クリップ７は、後端部７ａを押圧したとき、該クリップ７の前端部７ｂが中板４から離れる方向に回動し、本体１の外面から該前端部７ｂが突出する長さを有している。
【００１０】
したがって、上記の構成によりクリップ７は不使用時、前端部、後端部が本体１の外面から外方に突出していないので、ポケットやかばんに出し入れする際に内部の生地等に引っかかるおそれがなく、生地等を傷めるおそれがない。また、必要時は上記クリップ７の後端部７ａを押圧すれば、クリップは回動して前端部７ｂが本体１の外面から外方に突出するから、該前端部7ｂと本体１の外面間に被挟着物を差し込んで、通常のクリップとして使用することができる。
【００１１】
上記リフィール２は本体１の長手方向に移動可能に設けたスライド駒２２により筆記位置に突出される。図に示す実施例では２本のリフィールを本体内に収納しているので、対象構造に形成された２つのスライド駒２２ａ、２２ｂを有している。図７は一方のスライド駒２２ａを示し、スライド駒の前端には上記本体内に形成した仕切り板２３（図９（Ａ）参照）に摺動可能に嵌挿する支柱２４が形成され、該仕切り板２３とスライド駒本体２５間には作動ばね２６が装着される。該スライド駒には、上記リフィール２の後端が嵌着する取付柱２７が形成され、本体１に設けた案内突起２８が入り込むガイド溝２９があり、後端の内方には係止板３０が設けられている。該係止板３０の前端には傾斜面３１が設けられ、後端には起立面３２が設けられている。また、外方には指当て部３３が有り、該指当て部３３は上記本体の後部側方に形成した長手方向に延びる操作孔３４から突出し、該スライド駒は上記作動ばね２６により上記操作孔３４の開口端に当接する位置まで後退する。
【００１２】
また、上記本体１の後端部には尾栓３５が固着される。図８に示すように、該尾栓３５は後部にストラップ孔３６を有し、両端には本体１に形成した係止突起３７に嵌合する係止孔３８が設けられている。該尾栓３５の中央には長手方向に延び上記中板４の凹陥部１５に形成した透孔３９に嵌合するよう弾性板４０が形成され、該弾性板４０の先端には上記中板４の透孔３９の側縁裏面に当接可能なスライド駒掛止板４１が形成されている。該スライド駒掛止板４１の前端には上記スライド駒２２の係止板３０の起立面３２が係合するよう起立面４２が形成され、後端には上記係止板３０の傾斜面３１が径合する傾斜面４３が形成され、スライド駒を前進させるとき該係止板３０が中板４とスライド駒掛止板４１間に容易に導入されるようにしてある。なお、上記傾斜面３１、４３はほぼフラットな平面に形成してあるが、湾曲面に形成してもよい。
【００１３】
上記本体には上記スライド駒掛止板を中板から離れる方向に移動させるよう解除部材が設けられている。実施例においては、解除部材として、図８に示すように、該弾性板４０の上面に上記透孔３９からクリップ７の裏面に向けて突出するクリップ解除用突起４４を設け、上記クリップ７の裏面に、上記解除用突起４４の先端に対向するようリブ４５を形成してある。該リブ４５と解除用突起４４の関係は、クリップ７の後端部７ａを押圧していないとき、上記解除用突起４４も押されず、上記スライド駒掛止板４１は上記中板４の裏面に当接した状態を維持する。一方、クリップ７の後端部７ａを押圧したときは、該リブ４５により上記クリップ解除用突起４４が押されて上記スライド駒掛止板４１は上記弾性板４０の弾性に抗して上記中板４の裏面から離れ、中板４の裏面とスライド駒掛止板４１との間に上記スライド駒の係止板３０が通過できる隙間を生じる。そして、押圧を止めたら上記弾性板４０の作用で該スライド駒掛止板４１が上記中板４の裏面に当接する位置に復帰するような関係に構成してある。
【００１４】
上記の構成により不使用状態では、図９（Ａ）に示すようにいずれのリフィールも作動ばね２６により後退位置に移動され、同図（Ｂ）、（Ｃ）に示すようにスライド駒の
係止板３０は傾斜面３１が尾栓３５の弾性板４０に設けたスライド駒掛止板４１の後端の傾斜面４３に係合している。そして、指当て部３３により一方のスライド駒２２ａを前進させると、該スライド駒２２ａの係止板３０は弾性板４０の弾性に抗して上記スライド駒掛止板４１を中板４から離れる方向に押し退けながらその間に生じた空間をくぐって該スライド駒掛止板４１の前方に移動し、図１０（Ａ）に示すように筆記先端がテーパー部材５の孔９から突出するとともにこの状態で、図１０（Ｂ）、（Ｃ）に示すように、前端の起立面４２に係止板３０の起立面３２が係合して筆記位置に該リフィールを保持するから、筆記することができる。このとき、他方のリフィールのスライド駒２２ｂは係止板３０の傾斜面３１がスライド駒掛止板４１の後端の傾斜面４３に係合したままであり、後退位置に保持されている。
【００１５】
上記筆記状態にあるリフィールを後退させるときは、他方のリフィールのスライド駒２２ｂの指当て部３３を少し前進させればよい。すなわち、図１１に示すように、他方のリフィールのスライド駒２２ｂを前進させると、該スライド駒２２ｂの係止板３０は弾性板４０の弾性に抗して上記スライド駒掛止板４１を中板４から離れる方向に押し退ける。その結果、上記スライド駒掛止板４１の前端の起立面４２が図１１（Ｃ）に示すように中板４から離れ、筆記状態にある上記リフィールのスライド駒２２ａの係止板３０の起立面３２と該起立面４２の係合が外れ、該スライド駒２２ａは作動ばね２６により後退し、図１１（Ａ）、（Ｂ）に示すように、リフィールの筆記先端は本体内に収納される。
【００１６】
また、いずれかのリフィールの先端が突出している状態でクリップ７を使用しようとすると、該リフィールは該クリップの操作により後退位置に移動される。例えば、上記図１０（Ｃ）の状態でクリップを使用するために、上記クリップ７の後端部７ａを図１２（Ａ）に示すように押圧すると、図１２（Ｂ）、（Ｃ）に示すように、クリップ７の裏面に形成したリブ４５及び尾栓３５の弾性板４０に形成した解除用突起４４を介してスライド駒掛止板４１は弾性板４０の弾性に抗して中板４から離れる方向に移動し、係止板３０の起立面３２とスライド駒掛止板４１の前端に設けた起立面４２の係合が外れるから、リフィールは作動ばね２６の作用で後退位置に移動し、本体内に収納される。
【００１７】
上記実施例においては、解除部材として、リブをクリップの裏面に設け、クリップ解除用突起を弾性板に設けたが、クリップの裏面に上記弾性板に当接するような突起を設けたり、弾性板側からクリップ裏面に近接する突起を設けてクリップで直接的に弾性板を押圧するようにしてもよい（図示略）。また、クリップと弾性板間に、独立した棒状部材（図示略）を設けクリップ後端部を押圧したときに上記弾性板が該棒状部材を介して移動されるようにしたり、上記クリップとは別に押しボタン式の解除部材を設けてスライド駒掛止板を移動させるようにしてもよい。
【図面の簡単な説明】
【００１８】
【図１】本発明の一実施例を示す平面図。
【図２】図１の側面図。
【図３】本体からテーパー部材、尾栓、スライド駒等を外し、クリップを分離した状態の斜視図。
【図４】クリップの後端部の拡大断面図
【図５】クリップを押圧した状態の側面図。
【図６】テーパー部材を示し、(Ａ)は平面図、(Ｂ)側面図。
【図７】スライド駒を示し、（Ａ）は平面図、（Ｂ）は側面図。
【図８】尾栓を示し、（Ａ）は平面図、（Ｂ）は側面図。
【図９】リフィールを収納した状態を示し、（Ａ）は平面から見た説明図、(Ｂ)は尾栓とスライド駒の関係の説明図、(Ｃ)は後端部の断面図。
【図１０】一方のリフィールを前進させた状態を示し、（Ａ）は平面から見た説明図、(Ｂ)は尾栓とスライド駒の関係の説明図、(Ｃ)は後端部の断面図。
【図１１】他方リフィールを前進させ状態を示し、（Ａ）は平面から見た説明図、(Ｂ)は尾栓とスライド駒の関係の説明図、(Ｃ)は後端部の断面図。
【図１２】クリップの後端部を押圧した状態を示し、（Ａ）は側面図、(Ｂ)は尾栓とスライド駒の関係の説明図、(Ｃ)は後端部の断面図。
【符号の説明】
【００１９】
１  本体
２  リフィール
３  格納部
４  中板
５  テーパー部材
７  クリップ
１８  グリップ部
２１  クリップばね
２２  スライド駒
２６  作動ばね
３０  係止板
３３  指当て部
３５  尾栓
４０  弾性板
４１  スライド駒掛止板
４４  クリップ解除用突起
４５  リブ
【図１】
2009178871.tif 000003
【図２】
2009178871.tif 000004
【図３】
2009178871.tif 000005
【図４】
2009178871.tif 000006
【図５】
2009178871.tif 000007
【図６】
2009178871.tif 000008
【図７】
2009178871.tif 000009
【図８】
2009178871.tif 000010
【図９】
2009178871.tif 000011
【図１０】
2009178871.tif 000012
【図１１】
2009178871.tif 000013
【図１２】
2009178871.tif 000014